(57)【要約】【課題】アンカーホールのコンクリート面に目あらしをすることなしに、グラウト材とコンクリートの付着強度を少なくとも２［Ｎ／ｍｍ2］程度、又はそれを上回る程度にまで上げて、施工アンカーとしての引張耐力を十分に確保する。【解決手段】コンクリート構造物２に穿設したアンカーホール２０にアンカー筋１１を挿入し、このアンカーホール２０に膨張性を有するグラウト材を充填し、硬化させて膨張させ、この硬化体３の膨張をアンカーホール２０のコンクリート面２１で拘束する。【選択図】図１
2009155922.tif 000002
【特許請求の範囲】
【請求項１】
コンクリート構造物のアンカーホールに配置されたアンカー筋が、前記アンカーホールに充填されたグラウト材の硬化体により固定されるアンカー筋の固定構造において、
前記グラウト材は硬化後に膨張する膨張性を有し、
前記グラウト材の硬化体は前記アンカーホール内で膨張され、前記アンカーホール内周のコンクリート面に拘束される、
ことを特徴とするアンカー筋の固定構造。
【請求項２】
コンクリート構造物に穿設したアンカーホールにアンカー筋を挿入し、前記アンカー筋を前記アンカーホールにグラウト材を充填、硬化して固定するアンカー筋の固定方法において、
前記グラウト材に、硬化後に膨張する膨張性を有するグラウト材を採用し、
該グラウト材を前記アンカー筋が挿入されたアンカーホールに充填、硬化し、該グラウト材の硬化後の膨張を前記アンカーホール内周のコンクリート面で拘束する、
ことを特徴とするアンカー筋の固定方法。
【発明の詳細な説明】
【技術分野】
【０００１】
本発明は、コンクリート構造物にあと施工でアンカー筋を固定する、アンカー筋の固定構造及び方法に関する。
【背景技術】
【０００２】
従来から、既存の鉄筋コンクリート造の構造物にアンカー筋を埋め込み、このアンカー筋を利用して、既存のコンクリート構造物に他の構造物又は固定物を定着する、あと施工が知られている。このあと施工では、コンクリート構造物にアンカーホールを穿ち、このアンカーホールにアンカー筋を固定するが、この工法には、一般に、大きく分けて、樹脂系（接着剤充填型）アンカーと、メカニカル（金属系又は金属拡張型）アンカーの２種類のアンカーが採用されている。周知のとおり、樹脂系アンカーは、コンクリートに穿設したアンカーホールに接着剤カプセルなどを装着し、攪拌してアンカー筋を固着するあと施工アンカーであり、メカニカルアンカーは、コンクリートにアンカーホールを穿設して、その部分に打設したアンカー本体とコンクリートの抵抗機構により固着するあと施工アンカーである。
【０００３】
このあと施工ではまた、グラウト材を使ってアンカー筋を固定する工法が提案されている。この工法は、コンクリート構造物に穿設したアンカーホールにアンカー筋を挿入し、このアンカー筋をアンカーホールにグラウト材を充填、硬化して固定するもので、この種の工法が特許文献１に記載されている。この文献１では、グラウト材に無収縮性のモルタルなどが採用されている。
【０００４】
【特許文献１】特開２００６−１６８４４公報
【発明の開示】
【発明が解決しようとする課題】
【０００５】
本願発明者は、上記文献１の技術とはまた異なる視点で、この種のあと施工でグラウト材を使ってアンカー筋を固定する工法について着目した。そして、この工法では、アンカーの引張耐力はアンカー筋とグラウト材、グラウト材とコンクリートとの付着強度、又は鉄筋の引張耐力のうち、一番小さい値によって決定され、通常、グラウト材とコンクリートの付着強度は２［Ｎ／ｍｍ2］程度であることが要求されており、この場合、アンカーホールのコンクリート面からレイタンスを除去し、目あらしする必要があるが、アンカーホールの削孔面は平滑で、小さな孔のために、削孔面全体を目あらしすることは極めて困難で、このため付着強度は２［Ｎ／ｍｍ2］を大きく下回り、アンカーとしての引張耐力を十分に確保できない、という問題があることが分かった。本願発明者は、この問題を解決し、グラウト材を使ってアンカー筋を固定する工法を第３番目の施工アンカーとして提案することを課題とする。
【０００６】
そこで、本発明は、この種のグラウト材を採用するアンカー筋の固定構造及び固定方法において、アンカーホールのコンクリート面に目あらしをすることなしに、グラウト材とコンクリートの付着強度を少なくとも２［Ｎ／ｍｍ2］程度、又はそれを上回る程度にまで上げて、アンカーとしての引張耐力を十分に確保すること、を目的とする。
【課題を解決するための手段】
【０００７】
上記の問題を解決するために、本発明のアンカー筋の固定構造は、コンクリート構造物のアンカーホールに配置されたアンカー筋が、前記アンカーホールに充填されたグラウト材の硬化体により固定されるアンカー筋の固定構造において、前記グラウト材は硬化後に膨張する膨張性を有し、前記グラウト材の硬化体は前記アンカーホール内で膨張され、前記アンカーホール内周のコンクリート面に拘束される、ことを要旨とする。
【０００８】
また、上記の問題を解決するために、本発明のアンカー筋の固定方法は、コンクリート構造物に穿設したアンカーホールにアンカー筋を挿入し、前記アンカー筋を前記アンカーホールにグラウト材を充填、硬化して固定するアンカー筋の固定方法において、前記グラウト材に、硬化後に膨張する膨張性を有するグラウト材を採用し、該グラウト材を前記アンカー筋が挿入されたアンカーホールに充填、硬化し、該グラウト材の硬化後の膨張を前記アンカーホール内周のコンクリート面で拘束する、ことを要旨とする。
【発明の効果】
【０００９】
本願発明のアンカー筋の固定構造及び方法によれば、コンクリート構造物に穿設したアンカーホールにアンカー筋を挿入し、このアンカー筋をアンカーホールに膨張性を有するグラウト材を充填、硬化し、このグラウト材の硬化後の膨張をアンカーホールのコンクリート面で拘束して埋め込み固定するので、グラウト材の硬化体とコンクリート面との接地圧が大幅に増大し、グラウト材とコンクリートの付着強度を少なくとも２［Ｎ／ｍｍ2］程度、又はそれを上回る程度にまで上げて、アンカーとしての引張耐力を十分に確保することができる、という本願発明独自の格別な効果を奏する。
【発明を実施するための最良の形態】
【００１０】
以下、この発明の一実施の形態について、図１を用いて説明する。図１に示すように、このアンカー筋の固定構造１は、鉄筋コンクリート造の構造物２（以下、コンクリート構造物２という。）に穿たれたアンカーホール２０にアンカー筋１１が挿入配置された状態で、このアンカーホール２０に充填、硬化されたグラウト材の硬化体３により埋め込み固定される。この場合、グラウト材はセメント、膨張材、骨材、及び減水剤その他を含有するセメント系膨張性グラウト材で、特に膨張材に、例えば石灰系、カルシウムサルホアルミネート系その他の各種の膨張材が使用され、所定の添加量で他の組成物と組み合わされて、グラウト材全体が硬化後に適度の膨張性を発現させるための膨張性能を有している。
【００１１】
そして、このアンカー筋の固定方法は、まず、コンクリート構造物２の所定の位置にアンカー筋を設置するためのアンカーホール２０を、削孔機などを使って、アンカー筋長及び径よりも大きい所定の深さ及び内径で掘削する。なお、このアンカーホール２０は既述のとおり、目あらしできない状況にあり、削孔面は平滑で、小さな孔になっている。続いて、このアンカーホール２０にアンカー筋１１を挿入、配置する。そして、このアンカーホール２０にグラウト材を充填し、硬化する。この場合、グラウト材に、既述のとおり、膨張性を有するグラウト材を採用し、このグラウト材の膨張作用により、このグラウト材をアンカーホール２０内で膨張させ、この膨張をアンカーホール２０内周のコンクリート面２１で拘束する。
【００１２】
このようにしてグラウト材の硬化体３は適度の膨張率で膨張し、この膨張がアンカーホール２０内周のコンクリート面２１で拘束されることで、この硬化体３とコンクリート面２１の接地圧は従来の無収縮性モルタルなどのグラウト材の硬化体とコンクリート面との接地圧に比べて大幅に増大し、硬化後の硬化体３とアンカーホール２０内周のコンクリート面２１との付着強度はコンクリート面２１に目あらししていない状態であるにも拘らず、少なくとも２［Ｎ／ｍｍ2］程度、又はそれを上回る程度にまで高められる。
【００１３】
以上説明したように、このアンカー筋の固定構造及び固定方法によれば、コンクリート構造物２に穿設したアンカーホール２０にアンカー筋１１を挿入し、このアンカーホール２０に膨張性を有するグラウト材を充填し、硬化させて膨張させ、この硬化体３の膨張をアンカーホール２のコンクリート面２１で拘束するので、グラウト材の硬化体３とコンクリート面２１との接地圧を著しく増大させて、アンカーホール２０内周のコンクリート面２１に目あらししていない状態でも、グラウト材とコンクリートの付着強度を少なくとも２［Ｎ／ｍｍ2］程度、又はそれを上回る程度にまで上げることができ、アンカー筋１１をアンカーホール２０に確実に埋め込み固定して、アンカーとしての引張耐力を十分に確保することができる。
【図面の簡単な説明】
【００１４】
【図１】本発明の一実施の形態におけるアンカー筋の固定構造び固定方法の概念図
【符号の説明】
【００１５】
１  アンカー筋の固定構造
１１  アンカー筋
２  鉄筋コンクリート造の構造物
２０  アンカーホール
２１  コンクリート面
３  グラウト材の硬化体
【図１】
2009155922.tif 000003